(57)【要約】【目的】トラフの幅方向下端部隅角部にＬ型の補助鋼を添設して補強する必要がないため作業が面倒になってしまうと共に、コストアップの原因ともなることなく、スムーズな施行で連結時に上下方向のみならず左右方向に連結ずれを生じないトラフを提供することを目的とする。【構成】断面凹状をなすトラフ本体と、本体の上部開口を塞ぐ蓋部材とを有し、トラフ本体の長手方向一方側両側壁端面には、上下方向の連結ずれを解消する凹あるいは凸状連結ずれ解消部を形成すると共に、長手方向他方側両側壁端面には、凹あるいは凸状連結ずれ解消部に嵌り合う凹あるいは凸状連結ずれ解消部を形成し、トラフ本体の長手方向一方側底壁端面には、左右方向の連結ずれを解消する凹凸状連結ずれ解消部を形成すると共に、長手方向他方側底壁端面には、凹凸状連結ずれ解消部に嵌り合う凹凸状連結ずれ解消部を形成した、ことを特徴とする。【選択図】                図１
0003128398.tif 000002
【実用新案登録請求の範囲】
【請求項１】
断面凹状をなすトラフ本体と、該トラフ本体の上部開口を塞ぐ蓋部材とを有し、
前記トラフ本体の長手方向一方側両側壁端面には、上下方向の連結ずれを解消する凹あるいは凸状連結ずれ解消部を形成すると共に、長手方向他方側両側壁端面には、前記凹あるいは凸状連結ずれ解消部に嵌り合う凹あるいは凸状連結ずれ解消部を形成し、
前記トラフ本体の長手方向一方側底壁端面には、左右方向の連結ずれを解消する凹凸状連結ずれ解消部を形成すると共に、長手方向他方側底壁端面には、前記凹凸状連結ずれ解消部に嵌り合う凹凸状連結ずれ解消部を形成した、
ことを特徴とするコンクリート製トラフ。
【請求項２】
断面凹状をなすトラフ本体と、該トラフ本体の上部開口を塞ぐ蓋部材とを有し、
前記トラフ本体の長手方向一方側の右側壁端面には、上下方向の連結ずれを解消する凹状連結ずれ解消部を形成すると共に、長手方向一方側の左側壁端面には、前記凹状連結ずれ解消部に嵌り合う形状に形成された凸状連結ずれ解消部を設け、トラフ本体の長手方向他方側の右側壁端面には、上下方向の連結ずれを解消する前記凹状連結ずれ解消部に嵌り合う凸状連結ずれ解消部を形成すると共に、長手方向他方側の左側壁端面には、前記凸状連結ずれ解消部に嵌り合う形状に形成された凹状連結ずれ解消部を設け、
前記トラフ本体の長手方向一方側底壁端面には、左右方向の連結ずれを解消する幅方向に凹凸が連続した第１凹凸状連結ずれ解消部を形成すると共に、長手方向他方側底壁端面には、前記第１凹凸状連結ずれ解消部に嵌り合う凹凸を形成した第２凹凸状連結ずれ解消部を形成した、
ことを特徴とするコンクリート製トラフ。
【請求項３】
断面凹状をなすトラフ本体と、該トラフ本体の上部開口を塞ぐ蓋部材とを有し、
前記トラフ本体の長手方向一方側の左側壁端面には、上下方向の連結ずれを解消する凹状連結ずれ解消部を形成すると共に、長手方向一方側の右側壁端面には、前記凹状連結ずれ解消部に嵌り合う形状に形成された第１凸状連結ずれ解消部を設け、トラフ本体の長手方向他方側の左側壁端面には、上下方向の連結ずれを解消する前記凹状連結ずれ解消部に嵌り合う凸状連結ずれ解消部を形成すると共に、長手方向他方側の右側壁端面には、前記凸状連結ずれ解消部に嵌り合う形状に形成された凹状連結ずれ解消部を設け、
前記トラフ本体の長手方向一方側底壁端面には、左右方向の連結ずれを解消する幅方向に凹凸が連続した第１凹凸状連結ずれ解消部を形成すると共に、長手方向他方側底壁端面には、前記第１凹凸状連結ずれ解消部に嵌り合う凹凸を形成した第２凹凸状連結ずれ解消部を形成した、
ことを特徴とするコンクリート製トラフ。
【請求項４】
前記凹状連結ずれ解消部、凸状連結ずれ解消部、第１凹凸状連結ずれ解消部及び第２凹凸状連結ずれ解消部の凹あるいは凸の形状は、底辺側から先端側に向かって窄められた略台形形状に形成された、
ことを特徴とする請求項１，請求項２または請求項３記載のコンクリート製トラフ。
【考案の詳細な説明】
【技術分野】
【０００１】
この考案は、コンクリート製のケーブルトラフなどコンクリート製トラフに関するものである。
【背景技術】
【０００２】
従来一般的に、コンクリート製のトラフは鉄道などの軌道脇において鉄道用の信号、通信、電力等のケーブルを前記軌道（例えば線路）に沿って収容敷設し、日光、大気、風雨および鼠害等から保護するものとして使用されている。
【０００３】
しかしながら従来のトラフは例えば特開平６−２８４５４３号公報に記載されているように、そのトラフ本体が単に断面凹状をなしており、またトラフ本体を構成する両側壁の長手方向一端面に連結用凹部が設けられ、かつ連結する他方のトラフ本体を構成する両側壁の長手方向他端面に前記凹部に嵌り込む凸部が設けられ、その各々の凹部と凸部を嵌り込ませてただ単に連結敷設するものとしていた。
【特許文献１】特開平６−２８４５４３号公報
【考案の開示】
【考案が解決しようとする課題】
【０００４】
しかしながら、前述したような従来のトラフでは連結時に上下方向のみならず左右方向に連結ずれを生じさせないため、必ずトラフの幅方向下端部隅角部にＬ型の補助鋼を添設して補強しなければならず作業が面倒になってしまうと共に、コストアップの原因ともなっていた。
【０００５】
また、トラフの連結敷設に際しても、トラフ長手方向両側壁の両端面に設けた凹部と凸部をただ単に突き合わせ、嵌め込んで連結するものであり、長期間の使用において連結部にずれが生じてしまうとの課題があった。
かくして本考案は前記従来の課題に対処すべく創案されたものであり、トラフの幅方向下端部隅角部にＬ型の補助鋼を添設して補強する必要がないため作業が面倒になってしまうと共に、コストアップの原因ともなることなく、スムーズな施行で連結時に上下方向のみならず左右方向に連結ずれを生じないトラフを提供することを目的とするものである。
【課題を解決するための手段】
【０００６】
本考案によるコンクリート製トラフは、
断面凹状をなすトラフ本体と、該トラフ本体の上部開口を塞ぐ蓋部材とを有し、
前記トラフ本体の長手方向一方側両側壁端面には、上下方向の連結ずれを解消する凹あるいは凸状連結ずれ解消部を形成すると共に、長手方向他方側両側壁端面には、前記凹あるいは凸状連結ずれ解消部に嵌り合う凹あるいは凸状連結ずれ解消部を形成し、
前記トラフ本体の長手方向一方側底壁端面には、左右方向の連結ずれを解消する凹凸状連結ずれ解消部を形成すると共に、長手方向他方側底壁端面には、前記凹凸状連結ずれ解消部に嵌り合う凹凸状連結ずれ解消部を形成した、
ことを特徴とし、
または、
断面凹状をなすトラフ本体と、該トラフ本体の上部開口を塞ぐ蓋部材とを有し、
前記トラフ本体の長手方向一方側の右側壁端面には、上下方向の連結ずれを解消する凹状連結ずれ解消部を形成すると共に、長手方向一方側の左側壁端面には、前記凹状連結ずれ解消部に嵌り合う形状に形成された凸状連結ずれ解消部を設け、トラフ本体の長手方向他方側の右側壁端面には、上下方向の連結ずれを解消する前記凹状連結ずれ解消部に嵌り合う凸状連結ずれ解消部を形成すると共に、長手方向他方側の左側壁端面には、前記凸状連結ずれ解消部に嵌り合う形状に形成された凹状連結ずれ解消部を設け、
前記トラフ本体の長手方向一方側底壁端面には、左右方向の連結ずれを解消する幅方向に凹凸が連続した第１凹凸状連結ずれ解消部を形成すると共に、長手方向他方側底壁端面には、前記第１凹凸状連結ずれ解消部に嵌り合う凹凸を形成した第２凹凸状連結ずれ解消部を形成した、
ことを特徴とし、
または、
断面凹状をなすトラフ本体と、該トラフ本体の上部開口を塞ぐ蓋部材とを有し、
前記トラフ本体の長手方向一方側の左側壁端面には、上下方向の連結ずれを解消する凹状連結ずれ解消部を形成すると共に、長手方向一方側の右側壁端面には、前記凹状連結ずれ解消部に嵌り合う形状に形成された第１凸状連結ずれ解消部を設け、トラフ本体の長手方向他方側の左側壁端面には、上下方向の連結ずれを解消する前記凹状連結ずれ解消部に嵌り合う凸状連結ずれ解消部を形成すると共に、長手方向他方側の右側壁端面には、前記凸状連結ずれ解消部に嵌り合う形状に形成された凹状連結ずれ解消部を設け、
前記トラフ本体の長手方向一方側底壁端面には、左右方向の連結ずれを解消する幅方向に凹凸が連続した第１凹凸状連結ずれ解消部を形成すると共に、長手方向他方側底壁端面には、前記第１凹凸状連結ずれ解消部に嵌り合う凹凸を形成した第２凹凸状連結ずれ解消部を形成した、
ことを特徴とし、
または、
前記凹状連結ずれ解消部、凸状連結ずれ解消部、第１凹凸状連結ずれ解消部及び第２凹凸状連結ずれ解消部の凹あるいは凸の形状は、底辺側から先端側に向かって窄められた略台形形状に形成された、
ことを特徴とするものである。
【考案の効果】
【０００７】
本考案によるコンクリート製トラフであれば、トラフの幅方向下端部隅角部にＬ型の補助鋼を添設して補強する必要がないため作業が面倒になってしまうことがないと共に、コストアップの原因ともなることなく、スムーズな施工でもって連結時にはトラフ本体の上下方向のみならず左右方向（幅方向）にも連結ずれを生じないコンクリート製トラフを提供できるとの優れた効果を奏する。
【考案を実施するための最良の形態】
【０００８】
以下、この考案を図に示す実施例に基づいて説明する。
本考案によるトラフ１は、断面凹状をなすトラフ本体２と、該トラフ本体２の上部開口を塞ぐ蓋部材３とを有して構成されている。
【０００９】
蓋部材３は、図２に示すように、幅方向両側下端部に切り欠き１４，１４が設けられ、この切り欠き１４，１４の間は下側に凸設する肉厚部１５として構成されている。よって、トラフ本体２の上部開口へ前記肉厚部１５が嵌り込み、ガタツキのない蓋部材３として機能するものとなる。また、図２から理解されるように、当該蓋部材３の表面は面取りされており、外観上の美観が考慮されていると共に、トラフ破損防止、及び作業者などへの危険防止が図られている。
【００１０】
ここで、前記トラフ本体２の長手方向一方側の右側壁端面４には、上下方向の連結ずれを解消する凹状連結ずれ解消部５が形成されている。
また、長手方向一方側の左側壁端面６には、前記凹状連結ずれ解消部５に嵌り合う形状に形成された凸状連結ずれ解消部７が設けられている。
さらに、図から理解されるように、前記トラフ本体２の長手方向他方側の右側壁端面８には、やはり上下方向の連結ずれを解消すべく、前記凹状連結ずれ解消部５に嵌り合う凸状連結ずれ解消部７が形成され、かつ長手方向他方側の左側壁端面９には、前記凸状連結ずれ解消部７に嵌り合う形状に形成された凹状連結ずれ解消部５が設けられている。
【００１１】
なお、図に示す実施例では、トラフ本体２における長手方向一方側の右側壁端面４に、上下方向の連結ずれを解消する凹状連結ずれ解消部５が形成され、左側壁端面６に前記凹状連結ずれ解消部５に嵌り合う形状に形成された凸状連結ずれ解消部７が設けられ、長手方向他方側の右側壁端面８に、前記凹状連結ずれ解消部５に嵌り合う凸状連結ずれ解消部７が形成され、かつ長手方向他方側の左側壁端面９に、前記凸状連結ずれ解消部７に嵌り合う形状に形成された凹状連結ずれ解消部５が設けられているが、各々凹状連結ずれ解消部及び凸状連結ずれ解消部を右、左逆側の側壁端面に設けても構わないものである。
【００１２】
次に、前記トラフ本体２の長手方向一方側の底壁端面１０には、左右方向、換言すればトラフ本体２の幅方向に対する連結ずれを解消すべく幅方向に凹凸形状を連続して形成した第１凹凸状連結ずれ解消部１１が形成されている。
そして、トラフ本体２の長手方向他方側の底壁端面１２には、前記第１凹凸状連結ずれ解消部１１に嵌り合うべく幅方向に凸凹形状を連続して形成した第２凹凸状連結ずれ解消部１３が形成されている。
【００１３】
ここで、前述した凹状連結ずれ解消部５及び当該凹状連結ずれ解消部５に嵌り合う形状に形成された凸状連結ずれ解消部７の形状は、図１から理解されるように、底辺側から先端側に向かって窄められた略台形形状に構成するのが好ましいものである。
さらに、前記第１凹凸状連結ずれ解消部１１及び第２凹凸状連結ずれ解消部１３における凹凸形状についても、底辺側から先端側に向かって窄められた略台形形状に構成するのが好ましいものである。
このような形状に形成することにより、連結時に嵌め合うポイントが大きくなり、スムーズかつ容易に連結操作できるものとなる。
【００１４】
また凹状連結ずれ解消部５と凸状連結ずれ解消部７とを嵌り込ませるという簡単な連結作業によって、相隣る連結すべきトラフ本体３、３を上下方向における連結ずれを全く生じさせることなく連結出来るものとなる。
さらに、前記第１凹凸状連結ずれ解消部１１及び当該第１凹凸状連結ずれ解消部１１に嵌り合う第２凹凸状連結ずれ解消部１３の凹凸形状についてもトラフ本体２の幅方向に連続する凹凸形状とし、かつその連続した凹凸形状を、底辺側から先端側に向かって窄められた略台形形状に構成するものとする。
このような形状とすることにより、相隣る連結すべきトラフ本体３、３の左右方向、換言すれば幅方向における連結ずれを全く生じさせることなく連結出来るものとなるのである。
【図面の簡単な説明】
【００１５】
【図１】本考案によるトラフ本体の構成を説明する構成説明図である。
【図２】本考案による蓋部材の構成を説明する構成説明図である。
【図３】トラフの連結状態を説明する説明図（その１）である。
【図４】トラフの連結状態を説明する説明図（その２）である。
【図５】本考案によるトラフ本体の正面及び側面を説明する説明図である。
【図６】図５におけるＡ−Ａ線断面図である。
【符号の説明】
【００１６】
１   トラフ
２   トラフ本体
３   蓋部材
４   一方側右側壁端面
５   凹状連結ずれ解消部
６   一方側左側壁端面
７   凸状連結ずれ解消部
８   他方側右側壁端面
９    他方側左側壁端面
１０  一方側底壁端面
１１  第１凹凸状連結ずれ解消部
１２  他方側左底壁端面
１３  第２凹凸状連結ずれ解消部
１４  切り欠き
１５  肉厚部
【図１】
0003128398.tif 000003
【図２】
0003128398.tif 000004
【図３】
0003128398.tif 000005
【図４】
0003128398.tif 000006
【図５】
0003128398.tif 000007
【図６】
0003128398.tif 000008